(57)【要約】【課題】  照明ヘッドの仕様にかかわらず同一規格の電源装置を用いて、その電源装置に接続される照明ヘッドの個々の発光素子を定格電流で点灯できるようにする。【解決手段】  一以上の発光素子２…が任意に配列された照明ヘッドＨ１〜Ｈ３に、印加電圧が発光素子２…の配列によって定まる点灯下限電圧ＶＬmin以上になったときに発光素子２…に通電される照明回路６…と、印加電圧Ｖが点灯下限電圧未満になったときに照明回路６の適正電流に応じた電流識別信号を出力する識別回路７を形成し、電源装置Ｂには、点灯下限電圧以上の点灯電圧を供給する駆動電源１１と、点灯下限電圧未満の識別電圧を印加する識別電源１２と、識別回路７から出力された電流識別信号に基づいて照明回路６に流すべき適正電流を設定する電流設定器１３と、その電流設定信号に応じて発光素子２…の点灯時に照明回路６に流れる電流を適正電流に維持する点灯電流制御回路１４を設けた。【選択図】図１
2005093196.tif 000002
【特許請求の範囲】
【請求項１】
一以上の発光素子が任意に接続された照明回路を備えた照明ヘッドを電源装置に接続して点灯させる照明方法であって、
前記発光素子の配列によって定まる照明回路の適正電流に応じた電流識別信号を発光素子の非点灯時に照明ヘッドから出力させ、前記電流識別信号に基づいて照明回路に流すべき適正電流を設定し、発光素子の点灯時に照明回路に流れる電流を制御回路により適正電流に維持することを特徴とする照明装置の適正電流設定方法。
【請求項２】
一以上の発光素子が任意に配列された照明ヘッドを電源装置に接続して使用する照明装置であって、
前記照明ヘッドに、印加電圧が発光素子の配列によって定まる点灯下限電圧以上のとき前記発光素子に通電される照明回路と、印加電圧が点灯下限電圧未満のとき照明回路の適正電流に応じた電流識別信号を出力する識別回路が形成され、
前記電源装置に、発光素子の点灯時に照明回路の点灯下限電圧以上の点灯電圧を供給する駆動電源と、発光素子の非点灯時に識別回路に点灯下限電圧未満の識別電圧を印加する識別電源と、前記識別回路から出力された電流識別信号に基づいて照明回路に流すべき適正電流を設定する電流設定器と、前記電流設定器から出力された電流設定信号に応じて発光素子の点灯時に照明回路に流れる電流を適正電流に維持する点灯電流制御回路を備えたことを特徴とする照明装置。
【請求項３】
前記照明ヘッドの照明回路と識別回路が、電源装置の電源端子に接続される給電回路に対して並列に接続されるように形成された請求項２記載の照明装置。
【請求項４】
前記識別回路に照明回路の適正電流によって抵抗値が異なる識別抵抗が介装され、前記電流設定器では、識別抵抗を流れる電流に応じて電流設定信号を出力するようになされた請求項２又は３記載の照明装置。
【請求項５】
前記電流設定器が、電流識別信号から読み取られた識別データに基づき、識別データ−適正電流変換テーブルを参照して適正電流を設定するマイコンを備えた請求項２乃至４記載の照明装置。
【請求項６】
前記識別回路が、照明回路の適正電流によって異なる電流識別コードをパルス化した電流識別信号を出力するエンコード用マイコンを備え、前記電流設定器が、電流識別信号から電流識別コードを読み取って、識別コード−適正電流変換テーブルを参照し、適正電流を設定するデコード用マイコンを備えた請求項２又は３記載の照明装置。
【請求項７】
一以上の発光素子が配列され、電源装置に接続して使用される照明ヘッドであって、
印加電圧が発光素子の配列によって定まる点灯下限電圧以上になったときに導通状態となって前記発光素子に通電される照明回路と、印加電圧が前記点灯下限電圧未満の電圧になったときに導通状態となって照明回路の適正電流に応じた電流識別信号を出力する識別回路が形成されたことを特徴とする照明ヘッド。
【請求項８】
一以上の発光素子が配列されると共に、印加電圧が発光素子の配列によって定まる点灯下限電圧以上のとき前記発光素子に通電される照明回路と、印加電圧が点灯下限電圧未満のとき照明回路の適正電流に応じた電流識別信号を出力する識別回路が形成された照明ヘッドを接続して使用する電源装置であって、
発光素子の点灯時に前記点灯下限電圧以上の点灯電圧を供給する駆動電源と、発光素子の非点灯時に識別回路に点灯下限電圧未満の識別電圧を印加する識別電源と、前記識別回路から出力された電流識別信号に基づいて照明回路に流すべき適正電流を設定する電流設定器と、前記電流設定器から出力された電流設定信号に応じて発光素子の点灯時に照明回路に流れる電流を適正電流に維持する点灯電流制御回路を備えたことを特徴とする電源装置。
【発明の詳細な説明】
【技術分野】
【０００１】
本発明は、一以上の発光素子が任意に配列された照明ヘッドを電源装置に接続して点灯させる照明方法、照明装置及びその部品に関する。
【背景技術】
【０００２】
多数のＬＥＤ（発光素子）を配した照明ヘッドを電源装置に接続して使用する場合に、その電源装置から照明ヘッドに対して、個々のＬＥＤに定格電流が流れるような適正電流を供給して点灯するように電源電力が設定されている。
【０００３】
そして、最近では個々のＬＥＤを個別に点灯可能な照明ヘッドを電源装置に接続したときでも、個々のＬＥＤに定格電流を供給できるように点灯個数に応じて供給電流をコントロールできる電源装置が提案されている（特許文献１参照）。
【特許文献１】特開２０００−６４６６号公報
【０００４】
しかし、この種の電源装置は、特定の照明ヘッドを接続した場合にＬＥＤの点灯個数に応じて電流調整するものであり、仕様の異なる照明ヘッドの電源装置として使用する場合に、その仕様に応じて電流調整することはできない。
【０００５】
すなわち、ＬＥＤなどの発光素子を用いた照明ヘッドは、その種類も非常に多く、給電回路へのＬＥＤの接続方法（並列接続、直列接続など）や、ＬＥＤの数量、個々のＬＥＤの定格など、照明ヘッドごとにその仕様が異なるため、照明ヘッドに応じた電源装置あるいは電流コントローラを設計し、製造しなければならないという問題があった。
【０００６】
例えば、図７に示すように照明ヘッド７１に取り付けられる個々のＬＥＤ７２の定格電流が２０ｍＡと規格化されていた場合に、６個のＬＥＤ７２…を直列接続すれば給電回路７３に２０ｍＡの電流を供給し、図７（ｂ）に示すように、直列接続された６個のＬＥＤ７２…を二列並列に接続すれば給電回路７３に駆動電圧で４０ｍＡの電流を供給し、図７（ｃ）に示すように、直列接続された６個のＬＥＤ７２…を三列並列に接続すれば、給電回路７３に６０ｍＡの電流を供給する必要がある。
この場合に、駆動電圧をコントロールしても、ＬＥＤ７２…の抵抗特性がリニアでないことから定格電流で夫々のＬＥＤを点灯させることができないので、電源装置では電流制御を行うようにしている。
【０００７】
このため、従来は、夫々の照明ヘッド７１の仕様に応じて定格電流を供給できるように電源装置を設計しており、その予定された仕様内においては点灯個数に応じて電流制御を行うことができても、異なる仕様の照明ヘッドについて適正な電流制御を行うことができない。
したがって、照明ヘッド７１の仕様にかかわらず同一規格の電源装置を使用することができれば、個々の照明ヘッド７１ごとに電源装置を設計し製造したり在庫管理を行う面倒がなく、製造コスト、在庫管理の面倒を格段に低減させることができる。
【発明の開示】
【発明が解決しようとする課題】
【０００８】
そこで本発明は、照明ヘッドの仕様にかかわらず同一規格の電源装置を用いて、その電源装置に接続される照明ヘッドの個々の発光素子を定格電流で点灯できるようにすることを技術的課題としている。
【課題を解決するための手段】
【０００９】
この課題を解決するために、請求項１に係る照明方法は、一以上の発光素子が任意に配列された照明ヘッドを電源装置に接続して点灯させる照明方法であって、前記発光素子の配列によって定まる適正電流に応じた電流識別信号を発光素子の非点灯時に照明ヘッドから出力させ、適正電流識別信号に基づいて照明回路に流すべき適正電流を設定し、発光素子の点灯時に照明回路に流れる電流を点灯電流制御回路により適正電流に維持することを特徴とする。
【００１０】
また、請求項２に係る発明は、この方法に使用する照明装置であって、照明ヘッドに、印加電圧が発光素子の配列によって定まる点灯下限電圧以上のとき前記発光素子に通電される照明回路と、印加電圧が点灯下限電圧未満のとき照明回路の適正電流に応じた電流識別信号を出力する識別回路が形成され、電源装置に、発光素子の点灯時に照明回路の点灯下限電圧以上の点灯電圧を供給する駆動電源と、発光素子の非点灯時に識別回路に点灯下限電圧未満の識別電圧を印加する識別電源と、前記識別回路から出力された電流識別信号に基づいて照明回路に流すべき適正電流を設定する電流設定器と、前記電流設定器から出力された電流設定信号に応じて発光素子の点灯時に照明回路に流れる電流を適正電流に維持する点灯電流制御回路を備えた。
【発明の効果】
【００１１】
本発明に係る照明方法によれば、発光素子の非点灯時に、照明ヘッドの発光素子の配列により定まる適正電流に応じた適正電流識別信号が出力され、この識別信号に基づいて、照明ヘッドに供給すべき電流値を認識することができる。
これにより、発光素子の点灯時に電源装置から照明回路に流れる電流が点灯電流制御回路により適正電流に維持され、照明ヘッドの仕様にかかわらず、個々の発光素子を定格で点灯させることができるという効果がある。
【００１２】
この場合に、請求項２の照明装置のように、印加電圧が発光素子の配列によって定まる点灯下限電圧以上のとき発光素子に通電される照明回路と、印加電圧が点灯下限電圧未満のときに照明回路の適正電流に応じた電流識別信号を出力する識別回路を形成しておけば、電源装置から供給される電圧値に応じて発光素子の非点灯時に識別回路が動作して、電流識別信号が出力される。
この識別回路としては、例えば、適正電流によって抵抗値が異なる識別抵抗を用いたり、適正電流によって異なる電流識別コードをパルス化した電流識別信号を出力するエンコード用マイコンを用いればよい。
【００１３】
そして、識別回路から電流識別信号が出力されると、電流設定器では照明回路に流すべき適正電流が設定される。
前記識別回路に識別抵抗が介装されている場合、電流設定器では識別抵抗を流れる電流に応じて電流設定信号を出力するようになされている。
また、識別回路にエンコード用マイコンが用いられている場合、前記電流設定器では、デコード用マイコンにより電流識別信号から電流識別コードを読み取り、識別コード−適正電流変換テーブルを参照して適正電流が設定される。
したがって、発光素子の点灯時に電源装置から照明回路に流れる電流が点灯電流制御回路により適正電流に維持され、照明ヘッドの仕様にかかわらず、個々の発光素子を定格で点灯させることができるという効果がある。
【発明を実施するための最良の形態】
【００１４】
本例では、照明ヘッドの仕様にかかわらず、照明回路に接続された個々の発光素子を定格で点灯させるという目的を、発光素子の非点灯時に照明ヘッドから適正電流に応じた電流識別信号を出力させることにより実現した。
【００１５】
図１は本発明に係る照明装置を示す説明図、図２は適正電流と識別抵抗の関係を示す表、図３は他の実施形態を示す説明図である。
【実施例１】
【００１６】
図１に示す照明装置１は、一以上のＬＥＤ（発光素子）２…が任意に配列された照明ヘッドＨ１〜Ｈ３を電源装置Ｂに接続して使用される。
各照明ヘッドＨ１〜Ｈ３は、電源装置Ｂの電源端子３，４に接続される給電回路５に対して、一以上のＬＥＤ（発光素子）２…を接続した照明回路６と、その照明回路６の適正電流に応じた電流識別信号を出力する識別回路７が並列にされている。
【００１７】
照明回路６に接続されるＬＥＤ２…の数及び接続形式は照明ヘッドＨ１〜Ｈ３ごとに異なり、照明ヘッドＨ１では順方向の定格電流が２０ｍＡのＬＥＤ２…が６個直列に接続され、照明ヘッドＨ２では６個直列に接続されたＬＥＤ２…が２組並列に接続され、照明ヘッドＨ３では６個直列に接続されたＬＥＤ２…が３組並列に接続されている。
したがって、それぞれの照明回路６の適正電流は、照明ヘッドＨ１が２０ｍＡ、照明ヘッドＨ２が４０ｍＡ、照明ヘッドＨ３では６０ｍＡとなる。
また、識別回路７には、適正電流２０〜２００ｍＡに応じて、例えば、図２に示すような抵抗値５２.８〜３.３ｋΩに設定された識別抵抗８が介装されている。
【００１８】
なお、赤色ＬＥＤ２の一個あたりの点灯電圧Ｖｆは約１.８Ｖ程度であるから、ＬＥＤ２…が６個直列に接続されている場合、点灯下限電圧ＶＬminが約１１Ｖとなり、電源装置Ｂから給電回路５への印加電圧が１１Ｖ以上のときに、照明回路６が導通状態となってＬＥＤ２…が点灯される。
また、ＬＥＤ２が点灯されて照明回路６が短絡すれば、識別回路７は非導通状態となり、電源装置Ｂから給電回路５への印加電圧が１０Ｖ以下となって点灯下限電圧ＶＬmin未満となって照明回路６が非導通状態となれば、ＬＥＤ２…が消灯されるので、識別回路７が導通状態となり、識別抵抗８の抵抗値に応じて電流識別信号が出力される。
このように、照明回路６と識別回路７は給電回路５に対して並列に形成され、しかも、動作電圧が異なるので、二つの端子３、４を介して電源装置Ｂと接続するだけで、その印加電圧に応じて各回路６、７を個別に動作させることができる。
【００１９】
電源装置Ｂは、ＬＥＤ２…の点灯時に点灯下限電圧ＶＬmin以上の点灯電圧ＶＬ（例えば１２Ｖ）を供給する駆動電源１１と、ＬＥＤ２…の非点灯時に照明回路６の点灯下限電圧ＶＬmin未満の識別電圧ＶＭ（例えば２.５Ｖ）を供給する識別電源１２が、そのプラス側の電源端子３に対して並列接続されている。
また、照明ヘッドＨ１〜Ｈ３の識別回路７から出力された電流識別信号に基づいて照明回路６に流すべき適正電流ＩＲを設定する電流設定器１３と、前記電流設定器１３から出力された電流設定信号に応じてＬＥＤ２…の点灯時に照明回路６に流れる電流を適正電流ＩＲに維持する点灯電流制御回路１４が、そのアース側の電源端子４に対して並列接続されている。
【００２０】
そして、駆動電源１１と端子３との間には、例えば１／６０秒ごとに出力されるビデオカメラの垂直同期信号に同期して非導通となり、それ以外のときは導通されるスイッチＳ１が介装されており、画像を構成する１フレーム分の画像を撮像している間、ＬＥＤ２…を点灯することとなる。
また、識別電源１２と端子３との間には駆動電源１１がオンされているときに識別電源１２からの識別電圧ＶＭの供給を阻止するダイオード１５が介装されている。
【００２１】
電流設定器１３は、例えば２.２ｋΩの識別信号検出抵抗１６がアースに接続され、照明ヘッドＨ１〜Ｈ３の識別抵抗８を流れる電流を検出抵抗１６に流すことにより、検出抵抗１６で電圧降下を生じさせ、検出された電圧降下量を電流識別信号とし、この電流識別信号に応じて照明回路６に流すべき適正電流ＩＲを設定する。
例えば、識別電源１２から２.５Ｖ の識別電圧ＶＭを供給したときに、照明ヘッドＨ１〜Ｈ３の識別抵抗８を図２のように選択しておけば、２.２ｋΩの検出抵抗１６で生ずる電圧降下量Ｖｃを０.１〜１.０Ｖまで０.１Ｖずつ変化させることができる。
したがって、この電圧降下量を電流識別信号とすれば、１０種類の適正電流を識別させることができることとなる。
【００２２】
なお、０.１〜１.０Ｖの電流識別信号に基づき、適正電流ＩＲの設定値２０〜２００ｍＡに対応させた２０ｍＶ〜２００ｍＶの電流設定信号を１フレーム分の撮像時間に応じて１／６０秒間出力させるため、保持コンデンサ１７、バッファアンプ１８等が設けられている。
また、スイッチＳ３は、スイッチＳ１とは反対に、ビデオカメラの垂直同期信号に同期して導通され、それ以外のときは非導通となるので、一つのフレームの画像を撮像した後、次のフレームを撮像するまでのインターバルの間に電流識別信号を取り込む。
【００２３】
点灯電流制御回路１４は、電流設定器１３から出力された電流設定信号に応じて照明回路６を流れる電流を制御するもので、アース側電源端子４にＦＥＴ２０を介して例えば１Ωの電流検出抵抗２１が接続されている。
そして、スイッチＳ１と同様にビデオカメラの垂直同期信号に同期して非導通となり、それ以外のときは導通されるスイッチＳ２により、照明回路６に電源が供給されてＬＥＤ２…が点灯している間、電流検出抵抗２１で検出された検出信号を電流設定器１３から出力された電流設定信号に一致させるように、比較回路２２からＦＥＴ２０のゲートに制御信号が出力されるようになっている。
したがって、照明ヘッドＨ１〜Ｈ３の照明回路６に２０ｍＡ、４０ｍＡ、６０ｍＡの適正電流が流れたときに、電流検出抵抗２１で生ずる電圧降下により２０ｍＶ、４０ｍＶ、６０ｍＶの検出信号が出力されて、比較回路２２に入力される。
【００２４】
以上が本発明の構成例であって、次にその作用を説明する。
まず、各照明ヘッドＨ１〜Ｈ３の照明回路６の夫々の適正電流２０ｍＡ、４０ｍＡ，６０ｍＡに応じて、図２に示す表より、識別回路７に抵抗値５２.８ｋΩ、２５.３ｋΩ、１６.１ｋΩの識別抵抗８を介装しておく。
そして、所望の照明ヘッドＨ１（〜Ｈ３）を電源装置Ｂに接続し、ビデオカメラの垂直同期信号に同期させて、各スイッチＳ１〜Ｓ３をオンオフさせると、画像を構成する１フレーム分の画像を撮像する前、スイッチＳ１が非導通となり、識別電源１２から２.５Ｖの識別電圧ＶＭが任意の照明ヘッドＨ１（〜Ｈ３）に供給される。
【００２５】
ここで、いずれの照明ヘッドＨ１（〜Ｈ３）の照明回路６も、電源端子３及び４間に直列接続された６個のＬＥＤ２…が介装されているので、点灯下限電圧ＶＬminは１１Ｖとなり、２.５Ｖの識別電圧を印加しても照明回路６は非導通状態に維持される。
また、このときスイッチＳ１に同期して、スイッチＳ２により点灯電流制御回路１４も非導通状態となっているので、電流は、照明ヘッドＨ１（〜Ｈ３）の識別回路７を介して電源装置Ｂの電流設定器１３に流れる。
【００２６】
電流設定器１３の識別信号検出抵抗１６では、電源装置Ｂに装着した照明ヘッドＨ１（〜Ｈ３）の識別抵抗８で生じた電圧降下により、０.１（０.２、０.３）Ｖの電流識別信号が出力され、これが保持コンデンサ１７に充電されて、適正電流ＩＲの設定値２０（４０、６０）ｍＡに対応させた２０（４０、６０）ｍＶの電流設定信号が１／６０秒間持続して点灯電流制御回路１４に出力される。
【００２７】
次いで、一つのフレームの画像が撮像開始されると同時にスイッチＳ１及びＳ３が導通され、駆動電源１１から点灯電圧ＶＬ＝１２Ｖが供給されると、点灯電圧ＶＬ＞点灯下限電圧ＶＬminであるので、照明回路６が導通状態となって電流のほとんどが照明回路６に流れ、識別回路７への電流は実質的に無視できる状態となる。
【００２８】
ここで、照明回路６に流れる電流が、適正電流の２０ｍＡより高ければ、１Ωの電流検出抵抗２１から２０ｍＶ＋αの検出信号が出力されて、電流設定器１３から出力された電流設定信号２０ｍＶと比較され、検出信号が２０ｍＶまで下がるように、即ち、照明回路６を流れる点灯電流が２０ｍＡとなるようにＦＥＴ２０に制御信号が出力される。
同様に、適正電流の２０ｍＡより低ければ、１Ωの電流検出抵抗２１から２０ｍＶ−αの検出信号が出力されて、電流設定器１３から出力された電流設定信号２０ｍＶと比較され、検出信号が２０ｍＶまで上昇されるように、即ち、照明回路６を流れる点灯電流が２０ｍＡとなるようにＦＥＴ２０に制御信号が出力される。
なお、照明ヘッドＨ２，Ｈ３を接続した場合は、電流設定器１３から４０、６０ｍＶの電流設定信号が出力されるので、同様にして、照明回路６を流れる点灯電流が４０、６０ｍＡとなるようにＦＥＴ２０に制御信号が出力される。
【実施例２】
【００２９】
なお、識別信号検出抵抗１６から出力される検出信号を、適正電流に比例させようとすると、識別抵抗８をこれに略反比例させて小さくしていかなければならないので、識別抵抗８の選択範囲は限定される。
そこで、図３に示すように、電流設定器１３として、識別信号検出抵抗１６から出力される検出信号をデジタル変換するＡ／Ｄコンバータ２５と、検出信号−適正電流変換テーブル２６を参照して適正電流に応じた電流設定信号を出力するマイコン２７と、その電流設定信号をアナログ変換するＤ／Ａコンバータ２８とを備えていても良い。
そして、前述同様、識別抵抗８を流れる電流を検出抵抗１６に流すことにより、検出抵抗１６で電圧降下を生じさせ、検出された電圧降下量を電流識別信号とし、この電流識別信号に応じて照明回路６に流すべき適正電流ＩＲを設定する。
識別電圧ＶＭ＝２.５Ｖ、検出抵抗１６の抵抗値が２.２ｋΩのとき、識別抵抗８に応じて電圧降下量Ｖｃが定まる。
したがって、検出信号−適正電流変換テーブル２６は、例えば図４に示すように、識別抵抗８に対応して決定され、各照明ヘッドＨ１〜Ｈ３にはその適正電流に応じた抵抗値の識別抵抗８が取り付けられる。
【実施例３】
【００３０】
図５は本発明に係る照明装置の他の実施形態を示し、図１と共通する部分は同一符号を付して詳細説明を省略する。
本例では、照明ヘッドＨ１（〜Ｈ３）の識別回路３１に、照明回路６の適正電流によって異なる電流識別コードをパルス化した電流識別信号を出力するエンコード用マイコン３２が接続され、電流設定器３３には、電流識別信号から電流識別コードを読み取って、識別コード−適正電流変換テーブル３４を参照し、適正電流を設定するデコード用マイコン３５を備えている。
【００３１】
識別回路３１は、そのスイッチング回路３６にツェナー電圧３Ｖのツェナーダイオード３７が設けられ、電源端子３及び４を介して３Ｖ以上の電圧が印加されたときにスイッチング回路３６が導通されてトランジスタ３８がオンされるのでエンコード用マイコン３２にリセット信号が入力され、マイコン３２はオフ状態となる。
また、３Ｖ以下の電圧が印加されたときはスイッチング回路３６は非導通となるので電源回路３９を介してマイコン３２に給電され、予め設定された電流識別コードに応じたパルス信号によりトランジスタ４０がオンオフされて、パルス化された電流識別信号が出力される。
【００３２】
電流設定器３３に入力された電流識別信号は、デコード用マイコン３５に入力されて、そのパルス信号から電流識別コードが読み取られ、識別コード−適正電流変換テーブル３４を参照して電流設定信号を出力する。
識別コードとしては、適正電流に対応するものであれば、適正電流に限らず、図６に示すように照明ヘッドＨ１〜Ｈ３の型番（例えば、Ｈ１２３４、Ｈ２４６８、Ｈ３４７１）であってもよい。
この場合、識別コード−適正電流変換テーブル３４に、型番に対応する適正電流を予め登録しておけば、照明ヘッドＨ１〜Ｈ３に対応した適正電流を読み出すことができる。
【００３３】
以上述べたように、本発明によれば、各照明ヘッドの発光素子が点灯されていない間に、照明ヘッドから適正電流に応じた電流識別信号が出力されて、その電流識別信号に応じて照明回路に供給される電流を適正電流に維持することができるので、照明ヘッドの仕様にかかわらず、照明回路に接続された個々の発光素子を定格で点灯させることができるという大変優れた効果を奏する。
【産業上の利用可能性】
【００３４】
本発明は、照明ヘッドの仕様にかかわらず、電源装置からの供給電流が自動的に適正電流に維持され、常に発光素子を定格で点灯することができるので、適正電流が異なる照明ヘッドを電源装置に任意に付け替えて使用するという用途に適している。
【図面の簡単な説明】
【００３５】
【図１】本発明にかかる照明装置の一例を示す回路図。
【図２】適正電流と識別抵抗の関係を示す表。
【図３】他の実施形態を示す回路図。
【図４】適正電流と識別抵抗の関係を示す表。
【図５】他の実施形態を示す回路図
【図６】適正電流と識別コードの関係を示す表。
【図７】従来の照明ヘッドを示す説明図。
【符号の説明】
【００３６】
１      照明装置
２      ＬＥＤ（発光素子）
Ｈ１〜Ｈ３  照明ヘッド  
Ｂ        電源装置
３，４    電源端子  
５      給電回路
６      照明回路
７      識別回路
８      識別抵抗
１１      駆動電源  
１２      識別電源
１３      電流設定器
１４      点灯電流制御回路
２６      検出信号−適正電流変換テーブル
２７      マイコン
３２      エンコード用マイコン
３４      識別コード−適正電流変換テーブル
３５      デコード用マイコン
【図１】
2005093196.tif 000003
【図２】
2005093196.tif 000004
【図３】
2005093196.tif 000005
【図４】
2005093196.tif 000006
【図５】
2005093196.tif 000007
【図６】
2005093196.tif 000008
【図７】
2005093196.tif 000009